(57)【要約】      （修正有）【課題】所定の操作に連動して作動する部位を有する玩具において、操作対象の変位自体に、今までにない面白みを持たせた玩具を提供する。【解決手段】下方に押し下げ操作可能な被押下部材２０と、前記被押下部材２０の押し下げ操作に連動して上方へと変位する連動部材３０と、を備えるように形成し、前記被押下部材２０の上面２０ａと前記連動部材３０の上面３０ａとが平行な平面となるように配置した。【選択図】図７
0003169625.tif 000002
【実用新案登録請求の範囲】
【請求項１】
下方に押し下げ操作可能な被押下部材と、
前記被押下部材の押し下げ操作に連動して上方へと変位する連動部材と、
を備え、
前記被押下部材の上面と前記連動部材の上面とが平行な平面となるように配置したことを特徴とする、作動玩具。
【請求項２】
前記被押下部材が押し下げ操作されたときに前記連動部材を上方へと変位させるための揺動部材を備え、
前記揺動部材の揺動軸からみて一端側に前記被押下部材が載置され、他端側に前記連動部材が載置されていることを特徴とする、請求項１記載の作動玩具。
【請求項３】
前記連動部材は自重により下方に位置していることを特徴とする、請求項１又は２記載の作動玩具。
【請求項４】
前記連動部材の上面には円孔が形成されており、
前記被押下部材には前記円孔の内側に配置される円盤部が形成され、
前記円盤部を押し下げ操作することで前記被押下部及び前記連動部材が変位することを特徴とする、請求項１〜３のいずれかに記載の作動玩具。
【請求項５】
請求項１〜４のいずれかに記載の作動玩具を備えた玩具セットであって、
前記被押下部材の上に載置可能な人形玩具を備え、
前記人形玩具を前記被押下部材の上に載置したときに、前記人形玩具の重みによって前記被押下部材が押し下げられた状態が維持されることを特徴とする、玩具セット。
【考案の詳細な説明】
【技術分野】
【０００１】
この考案は、連動して作動する部位を有する作動玩具、及び、この作動玩具を備えた玩具セットに関するものである。
【背景技術】
【０００２】
特許文献１には、シャッター機構の押圧操作に連動して人形の駆動機構の揺動と昇降とが実行されるとともに、このシャッター機構の押圧作動に連動して覗き窓部分が絵模様を表示した閉塞板によって閉塞されるように構成した玩具が開示されている。
【先行技術文献】
【特許文献】
【０００３】
【特許文献１】実開平０５−０７０５９４号公報
【考案の概要】
【考案が解決しようとする課題】
【０００４】
しかし、上記した特許文献１記載の玩具は、シャッター機構を押圧操作したときに人形や覗き窓が作動するものであるため、操作対象であるシャッター機構は、単に人形や覗き窓を作動させるための操作手段として遊戯者に認識されるものであった。このため、シャッター機構が押圧操作されて内方へと変位したとしても、その変位自体に玩具としての面白みがあるものではなかった。
【０００５】
そこで、本考案は、所定の操作に連動して作動する部位を有する玩具において、操作対象の変位自体に、今までにない面白みを持たせた玩具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
【０００８】
すなわち、請求項１に記載の作動玩具は、下方に押し下げ操作可能な被押下部材と、前記被押下部材の押し下げ操作に連動して上方へと変位する連動部材と、を備え、前記被押下部材の上面と前記連動部材の上面とが平行な平面となるように配置したことを特徴とする。
【０００９】
（請求項２）
請求項２に記載の考案は、上記した請求項１記載の考案の特徴点に加え、以下の点を特徴とする。
【００１０】
すなわち、前記被押下部材が押し下げ操作されたときに前記連動部材を上方へと変位させるための揺動部材を備え、前記揺動部材の揺動軸からみて一端側に前記被押下部材が載置され、他端側に前記連動部材が載置されていることを特徴とする。
【００１１】
（請求項３）
請求項３に記載の考案は、上記した請求項１又は２記載の考案の特徴点に加え、以下の点を特徴とする。
【００１２】
すなわち、前記連動部材は自重により下方に位置していることを特徴とする。
【００１３】
（請求項４）
請求項４に記載の考案は、上記した請求項１〜３のいずれかに記載の考案の特徴点に加え、以下の点を特徴とする。
【００１４】
すなわち、前記連動部材の上面には円孔が形成されており、前記被押下部材には前記円孔の内側に配置される円盤部が形成され、前記円盤部を押し下げ操作することで前記被押下部及び前記連動部材が変位することを特徴とする。
【００１５】
（請求項５）
請求項５に記載の考案は、上記した請求項１〜４のいずれかに記載の作動玩具を備えた玩具セットであって、以下の点を特徴とする。
【００１６】
すなわち、前記被押下部材の上に載置可能な人形玩具を備え、前記人形玩具を前記被押下部材の上に載置したときに、前記人形玩具の重みによって前記被押下部材が押し下げられた状態が維持されることを特徴とする。
【考案の効果】
【００１７】
請求項１に記載の考案は上記の通りであり、被押下部材の上面と連動部材の上面とが平行な平面となるように配置されているため、被押下部材が押し下げ操作されて連動部材が上方に変位すると、被押下部材と連動部材とが相対方向に移動する。すなわち、連動部材が移動することによって、操作対象である被押下部材の変位が強調されるように形成されており、今までにない面白みを持たせた玩具を提供することができる。
【００１８】
また、請求項２に記載の考案は上記の通りであり、前記被押下部材が押し下げ操作されたときに前記連動部材を上方へと変位させるための揺動部材を備えているため、揺動部材によるシンプルな構造で連動部材を連動させることができる。
【００１９】
また、請求項３に記載の考案は上記の通りであり、前記連動部材は自重により下方に位置しているため、特別な付勢部材などを使用しなくても作動前の位置を維持することができる。
【００２０】
また、請求項４に記載の考案は上記の通りであり、前記連動部材の上面には円孔が形成されており、前記被押下部材には前記円孔の内側に配置される円盤部が形成され、前記円盤部を押し下げ操作することで前記被押下部及び前記連動部材が変位するように形成している。すなわち、円孔内を円盤部が上下に移動することにより押し下げ動作が実現されているので、円盤部に偏荷重が加えられて多少傾いだとしても円孔内に円盤部が引っ掛かって摺動抵抗が増加するという問題が発生しにくくなっており、スムーズに押し下げ操作を行うことができる。
【００２１】
また、請求項５に記載の考案は上記の通りであり、前記被押下部材の上に載置可能な人形玩具の重みによって前記被押下部材が押し下げられた状態を維持するように形成している。このため、例えば、被押下部材の上面と連動部材の上面とを略面一とし、この面一状態の上面を水面に見立てることとすれば、水中に人形玩具が入ってきた（被押下部材が下方に押下された）ことに伴って水面が上昇する（連動部材が上方に変位する）ように作動させることができる。
【図面の簡単な説明】
【００２２】
【図１】作動玩具の外観斜視図である。
【図２】上カバー部材を除く作動玩具の分解斜視図である。
【図３】連動部材の（ａ）平面図、（ｂ）正面図である。
【図４】被押下部材の（ａ）正面図、（ｂ）底面図、（ｃ）側面図である。
【図５】下カバー部材及び揺動部材の（ａ）平面図、（ｂ）正面図である。
【図６】上カバー部材を取り除いた作動玩具の正面図であって、（ａ）被押下部材が押し下げ操作される前の状態を示す図、（ｂ）被押下部材が押し下げ操作された後の状態を示す図である。
【図７】玩具セットを示す外観斜視図であって、人形玩具を載置する直前の状態を示す図である。
【図８】玩具セットを示す外観斜視図であって、人形玩具を載置した後の状態を示す図である。
【考案を実施するための形態】
【００２３】
本考案の実施形態について、図を参照しつつ説明する。
【００２４】
本実施形態に係る作動玩具１０は、下方に押し下げ操作可能な被押下部材２０と、前記被押下部材２０の押し下げ操作に連動して上方へと変位する連動部材３０と、を備え、この被押下部材２０と連動部材３０とが連動して相対方向に移動することを特徴とするものである。
【００２５】
この作動玩具１０は、図１に示すように、上カバー部材１１によって上面に開口１１ａが形成された形状となっており、この開口１１ａの内側には連動部材３０が上面３０ａを露出させて配置されている。この連動部材３０は、開口１１ａに対してほぼ隙間なく配置されることで、開口１１ａの内周壁に沿って上下に摺動可能となっている。
【００２６】
また、この連動部材３０の上面３０ａには、略中央に円孔３０ｂが形成されており、この円孔３０ｂの内側に被押下部材２０（の円盤部２１）が上面２０ａを露出させて配置されている。このため、連動部材３０の上面３０ａと被押下部材２０の上面２０ａとは、互いに平行な平面となっている。なお、上記した被押下部材２０（の円盤部２１）は、円孔３０ｂに対してほぼ隙間なく配置されることで、円孔３０ｂ下部に位置する筒部３１の内周壁に沿って上下に摺動可能となっている。
【００２７】
図２は、上カバー部材１１を除く作動玩具１０の分解斜視図である。この図２に示すように、本実施形態に係る作動玩具１０は、被押下部材２０や連動部材３０の他にも、上カバー部材１１の下端面に固定される下カバー部材１２や、この下カバー部材１２に揺動可能に軸支される揺動部材４０を備えている。
【００２８】
以下、各部材について説明する。
【００２９】
連動部材３０は、図３に示すように、連動部材３０の上面３０ａを形成する上板部３５と、上板部３５の両側から垂下する側壁部３３と、側壁部３３の下端付近において水平方向内側に延出する支持板部３４と、上板部３５の下方に配置されて円孔３０ｂと連続する中空部を有する筒部３１と、を備えている。
【００３０】
このうち、筒部３１には、下端が開口したガイド溝３２が正面及び背面に垂直方向に切欠かれて形成されている。このガイド溝３２は、被押下部材２０の摺動をガイドするためのものである。
【００３１】
被押下部材２０は、図４に示すように、円形板状の円盤部２１と、円盤部２１の下部に配置された長尺板状のガイド部２２と、ガイド部２２の両端に設けられた支持部２３と、を備えている。
【００３２】
このうち、ガイド部２２は、円盤部２１の直径に沿って、円盤部２１の直径よりも長尺に設けられているため、図４（ｂ）及び（ｃ）に示すように、両端が円盤部２１よりも外側に突出するようになっている。そして、この突出したガイド部２２の両端に支持部２３が設けられている。
【００３３】
下カバー部材１２は、図５に示すように、平らな面に接地させられる底盤部１７を備えている。この底盤部１７の上面には、四隅にネジ挿入筒１３が立設し、このネジ挿入筒１３のやや内側に２対の揺動支持部１４が立設している。この２対の揺動支持部１４はそれぞれ揺動軸１５を軸支しており、これによって後述する揺動部材４０を揺動可能に支持できるように形成されている。また、この下カバー部材１２の略中央には２つのストッパ部１６が立設している。
【００３４】
揺動部材４０は、前記被押下部材２０が押し下げ操作されたときに前記連動部材３０を上方へと変位させるためのものであり、図５に示すように、上記した揺動軸１５を中心に揺動するものである。この揺動部材４０は、左右対称に２組設けられており、互いに平行な揺動軸１５を中心として揺動可能となっている。
【００３５】
この揺動部材４０は、揺動支持部１４によって支持される一対のアーム部４３と、このアーム部４３の揺動軸１５からみて一端側に設けられた第１載置部４１と、このアーム部４３の揺動軸１５からみて他端側に設けられた第２載置部４２と、を備えている。第１載置部４１は、アーム部４３の一端部において外側に突出する棒状の部材である。第２載置部４２は、アーム部４３の他端部において一対のアーム部４３を連結する棒状の部材である。
【００３６】
次に、各部材の組み付けについて説明する。
【００３７】
上記した各部材を組み付ける際には、まず、揺動部材４０の上に被押下部材２０を載置する。このとき、第１載置部４１の上に支持部２３が載置されるようにする。
【００３８】
そして、その更に上から連動部材３０を載置する。このとき、第２載置部４２の上に支持板部３４が載置されるようにする。なお、連動部材３０を載置するときには、連動部材３０の筒部３１の内側に被押下部材２０の円盤部２１を嵌め込むようにするとともに、被押下部材２０の円盤部２１から外側に突出したガイド部２２が筒部３１のガイド溝３２に挿入されるようにする。これにより、被押下部材２０は、筒部３１及びガイド溝３２に沿って上下に摺動案内される。
【００３９】
このように連動部材３０を載置すると、連動部材３０の自重により第２載置部４２が下方に押し下げられ、言い換えると、第１載置部４１が上方に持ち上げられる。よって、連動部材３０が下方に位置するとともに、被押下部材２０が上方に位置することとなる。このように連動部材３０と被押下部材２０とが位置している状態においては、図１に示すように、被押下部材２０の上面２０ａと連動部材３０の上面３０ａとが略面一となるように形成されている。
【００４０】
そして、上記の組み付けが完了したら、これらを覆うように上カバー部材１１を被せ、下カバー部材１２のネジ挿入筒１３の裏側からネジを挿入して上カバー部材１１のネジ孔（図示せず）と螺合させ、図１に示すような作動玩具１０が完成する。
【００４１】
このような作動玩具１０によれば、図６に示すように、円盤部２１を押し下げ操作することで被押下部材２０を下方に変位させると、被押下部材２０の支持部２３が揺動部材４０の第１載置部４１を下方に押圧する。第１載置部４１が下方に押圧された揺動部材４０は、揺動軸１５を中心に揺動し、第２載置部４２が設けられた側の端が上方に持ち上げられる。すると、第２載置部４２の上に載置された連動部材３０が持ち上げられて上方に変位する。すなわち、被押下部材２０の上面２０ａが下方に、連動部材３０の上面３０ａが上方にそれぞれ移動し、被押下部材２０の上面２０ａが連動部材３０の上面３０ａの中に埋没するかのように作動する。
【００４２】
なお、被押下部材２０を下方に変位させたときに、その下死点は下カバー部材１２に設けられたストッパ部１６によって規制される。すなわち、このストッパ部１６を設けることによって、被押下部材２０を下方に変位させたときに被押下部材２０のガイド部２２の下端面がストッパ部１６の上端面に当接し、それ以上被押下部材２０が下方に変位できないように設定されている。
【００４３】
この作動玩具１０は、図７及び図８に示すような人形玩具５１とセットにした玩具セット５０とすることもできる。すなわち、被押下部材２０の上に載置可能な人形玩具５１を設けるとともに、この人形玩具５１を被押下部材２０の上に載置したときに、人形玩具５１の重みによって被押下部材２０が下方に押し下げられるとともに連動部材３０が上方に持ち上げられ、人形玩具５１が取り外されるまではこの状態が維持されるように形成してもよい。
【００４４】
例えば、図７及び図８に示すように、作動玩具１０を浴槽に見立てるとともに、被押下部材２０の上面２０ａ及び連動部材３０の上面３０ａを水面に見立てており、この浴槽に人形玩具５１が入った（被押下部材２０が下方に押下された）ことに伴って、水面が上昇する（連動部材３０が上方に変位する）ようにすることで、お風呂の玩具を構成してもよい。
【００４５】
本実施形態に係る作動玩具１０は上記のとおりであり、被押下部材２０の上面２０ａと連動部材３０の上面３０ａとが平行な平面となるように配置されているため、被押下部材２０を押し下げ操作して連動部材３０が上方に変位すると、被押下部材２０と連動部材３０とが相対方向に移動する。すなわち、連動部材３０が移動することによって、操作対象である被押下部材２０の変位が強調されるように形成されており、今までにない面白みを持たせた玩具を提供することができる。
【００４６】
また、前記被押下部材２０が押し下げ操作されたときに前記連動部材３０を上方へと変位させるための揺動部材４０を備えているため、揺動部材４０によるシンプルな構造で連動部材３０を連動させることができる。
【００４７】
また、前記連動部材３０は自重により下方に位置しているため、特別な付勢部材などを使用しなくても作動前の位置を維持することができる。
【００４８】
また、前記連動部材３０の上面３０ａには円孔３０ｂが形成されており、前記被押下部材２０には前記円孔３０ｂの内側に配置される円盤部２１が形成され、前記円盤部２１を押し下げ操作することで前記被押下部材２０及び前記連動部材３０が変位するように形成している。すなわち、円孔３０ｂ内を円盤部２１が上下に移動することにより押し下げ動作が実現されているので、円盤部２１に偏荷重が加えられて多少傾いだとしても円孔３０ｂ内に円盤部２１が引っ掛かって摺動抵抗が増加するという問題が発生しにくくなっており、スムーズに押し下げ操作を行うことができる。
【符号の説明】
【００４９】
１０  作動玩具
１１  上カバー部材
１１ａ  開口
１２  下カバー部材
１３  ネジ挿入筒
１４  揺動支持部
１５  揺動軸
１６  ストッパ部
１７  底盤部
２０  被押下部材
２０ａ  上面
２１  円盤部
２２  ガイド部
２３  支持部
３０  連動部材
３０ａ  上面
３０ｂ  円孔
３１  筒部
３２  ガイド溝
３３  側壁部
３４  支持板部
３５  上板部
４０  揺動部材
４１  第１載置部
４２  第２載置部
４３  アーム部
５０  玩具セット
５１  人形玩具
【図１】
0003169625.tif 000003
【図２】
0003169625.tif 000004
【図３】
0003169625.tif 000005
【図４】
0003169625.tif 000006
【図５】
0003169625.tif 000007
【図６】
0003169625.tif 000008
【図７】
0003169625.tif 000009
【図８】
0003169625.tif 000010
【手続補正書】
【提出日】平成23年6月3日(2011.6.3)
【手続補正１】
【補正対象書類名】実用新案登録請求の範囲
【補正対象項目名】全文
【補正方法】変更
【補正の内容】
【実用新案登録請求の範囲】
【請求項１】
下方に押し下げ操作可能な被押下部材と、
前記被押下部材の押し下げ操作に連動して上方へと変位する連動部材と、
を備え、
前記被押下部材の上面と前記連動部材の上面とが平行な平面となるように配置したことを特徴とする、作動玩具。
【請求項２】
前記被押下部材が押し下げ操作されたときに前記連動部材を上方へと変位させるための揺動部材を備え、
前記揺動部材の揺動軸からみて一端側に前記被押下部材が載置され、他端側に前記連動部材が載置されていることを特徴とする、請求項１記載の作動玩具。
【請求項３】
前記連動部材は自重により上方に変位した後と比較して下方に位置していることを特徴とする、請求項１又は２記載の作動玩具。
【請求項４】
前記連動部材の上面には円孔が形成されており、
前記被押下部材には前記円孔の内側に配置される円盤部が形成され、
前記円盤部を押し下げ操作することで前記被押下部及び前記連動部材が変位することを特徴とする、請求項１〜３のいずれかに記載の作動玩具。
【請求項５】
請求項１〜４のいずれかに記載の作動玩具を備えた玩具セットであって、
前記被押下部材の上に載置可能な人形玩具を備え、
前記人形玩具を前記被押下部材の上に載置したときに、前記人形玩具の重みによって前記被押下部材が押し下げられた状態が維持されることを特徴とする、玩具セット。
【手続補正２】
【補正対象書類名】明細書
【補正対象項目名】全文
【補正方法】変更
【補正の内容】
【考案の詳細な説明】
【技術分野】
【０００１】
この考案は、連動して作動する部位を有する作動玩具、及び、この作動玩具を備えた玩具セットに関するものである。
【背景技術】
【０００２】
特許文献１には、シャッター機構の押圧操作に連動して人形の駆動機構の揺動と昇降とが実行されるとともに、このシャッター機構の押圧作動に連動して覗き窓部分が絵模様を表示した閉塞板によって閉塞されるように構成した玩具が開示されている。
【先行技術文献】
【特許文献】
【０００３】
【特許文献１】実開平０５−０７０５９４号公報
【考案の概要】
【考案が解決しようとする課題】
【０００４】
しかし、上記した特許文献１記載の玩具は、シャッター機構を押圧操作したときに人形や覗き窓が作動するものであるため、操作対象であるシャッター機構は、単に人形や覗き窓を作動させるための操作手段として遊戯者に認識されるものであった。このため、シャッター機構が押圧操作されて内方へと変位したとしても、その変位自体に玩具としての面白みがあるものではなかった。
【０００５】
そこで、本考案は、所定の操作に連動して作動する部位を有する玩具において、操作対象の変位自体に、今までにない面白みを持たせた玩具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
【０００８】
すなわち、請求項１に記載の作動玩具は、下方に押し下げ操作可能な被押下部材と、前記被押下部材の押し下げ操作に連動して上方へと変位する連動部材と、を備え、前記被押下部材の上面と前記連動部材の上面とが平行な平面となるように配置したことを特徴とする。
【０００９】
（請求項２）
請求項２に記載の考案は、上記した請求項１記載の考案の特徴点に加え、以下の点を特徴とする。
【００１０】
すなわち、前記被押下部材が押し下げ操作されたときに前記連動部材を上方へと変位させるための揺動部材を備え、前記揺動部材の揺動軸からみて一端側に前記被押下部材が載置され、他端側に前記連動部材が載置されていることを特徴とする。
【００１１】
（請求項３）
請求項３に記載の考案は、上記した請求項１又は２記載の考案の特徴点に加え、以下の点を特徴とする。
【００１２】
すなわち、前記連動部材は自重により上方に変位した後と比較して下方に位置していることを特徴とする。
【００１３】
（請求項４）
請求項４に記載の考案は、上記した請求項１〜３のいずれかに記載の考案の特徴点に加え、以下の点を特徴とする。
【００１４】
すなわち、前記連動部材の上面には円孔が形成されており、前記被押下部材には前記円孔の内側に配置される円盤部が形成され、前記円盤部を押し下げ操作することで前記被押下部及び前記連動部材が変位することを特徴とする。
【００１５】
（請求項５）
請求項５に記載の考案は、上記した請求項１〜４のいずれかに記載の作動玩具を備えた玩具セットであって、以下の点を特徴とする。
【００１６】
すなわち、前記被押下部材の上に載置可能な人形玩具を備え、前記人形玩具を前記被押下部材の上に載置したときに、前記人形玩具の重みによって前記被押下部材が押し下げられた状態が維持されることを特徴とする。
【考案の効果】
【００１７】
請求項１に記載の考案は上記の通りであり、被押下部材の上面と連動部材の上面とが平行な平面となるように配置されているため、被押下部材が押し下げ操作されて連動部材が上方に変位すると、被押下部材と連動部材とが相対方向に移動する。すなわち、連動部材が移動することによって、操作対象である被押下部材の変位が強調されるように形成されており、今までにない面白みを持たせた玩具を提供することができる。
【００１８】
また、請求項２に記載の考案は上記の通りであり、前記被押下部材が押し下げ操作されたときに前記連動部材を上方へと変位させるための揺動部材を備えているため、揺動部材によるシンプルな構造で連動部材を連動させることができる。
【００１９】
また、請求項３に記載の考案は上記の通りであり、前記連動部材は自重により上方に変位した後と比較して下方に位置しているため、特別な付勢部材などを使用しなくても作動前の位置を維持することができる。
【００２０】
また、請求項４に記載の考案は上記の通りであり、前記連動部材の上面には円孔が形成されており、前記被押下部材には前記円孔の内側に配置される円盤部が形成され、前記円盤部を押し下げ操作することで前記被押下部及び前記連動部材が変位するように形成している。すなわち、円孔内を円盤部が上下に移動することにより押し下げ動作が実現されているので、円盤部に偏荷重が加えられて多少傾いだとしても円孔内に円盤部が引っ掛かって摺動抵抗が増加するという問題が発生しにくくなっており、スムーズに押し下げ操作を行うことができる。
【００２１】
また、請求項５に記載の考案は上記の通りであり、前記被押下部材の上に載置可能な人形玩具の重みによって前記被押下部材が押し下げられた状態を維持するように形成している。このため、例えば、被押下部材の上面と連動部材の上面とを略面一とし、この面一状態の上面を水面に見立てることとすれば、水中に人形玩具が入ってきた（被押下部材が下方に押下された）ことに伴って水面が上昇する（連動部材が上方に変位する）ように作動させることができる。
【図面の簡単な説明】
【００２２】
【図１】作動玩具の外観斜視図である。
【図２】上カバー部材を除く作動玩具の分解斜視図である。
【図３】連動部材の（ａ）平面図、（ｂ）正面図である。
【図４】被押下部材の（ａ）正面図、（ｂ）底面図、（ｃ）側面図である。
【図５】下カバー部材及び揺動部材の（ａ）平面図、（ｂ）正面図である。
【図６】上カバー部材を取り除いた作動玩具の正面図であって、（ａ）被押下部材が押し下げ操作される前の状態を示す図、（ｂ）被押下部材が押し下げ操作された後の状態を示す図である。
【図７】玩具セットを示す外観斜視図であって、人形玩具を載置する直前の状態を示す図である。
【図８】玩具セットを示す外観斜視図であって、人形玩具を載置した後の状態を示す図である。
【考案を実施するための形態】
【００２３】
本考案の実施形態について、図を参照しつつ説明する。
【００２４】
本実施形態に係る作動玩具１０は、下方に押し下げ操作可能な被押下部材２０と、前記被押下部材２０の押し下げ操作に連動して上方へと変位する連動部材３０と、を備え、この被押下部材２０と連動部材３０とが連動して相対方向に移動することを特徴とするものである。
【００２５】
この作動玩具１０は、図１に示すように、上カバー部材１１によって上面に開口１１ａが形成された形状となっており、この開口１１ａの内側には連動部材３０が上面３０ａを露出させて配置されている。この連動部材３０は、開口１１ａに対してほぼ隙間なく配置されることで、開口１１ａの内周壁に沿って上下に摺動可能となっている。
【００２６】
また、この連動部材３０の上面３０ａには、略中央に円孔３０ｂが形成されており、この円孔３０ｂの内側に被押下部材２０（の円盤部２１）が上面２０ａを露出させて配置されている。このため、連動部材３０の上面３０ａと被押下部材２０の上面２０ａとは、互いに平行な平面となっている。なお、上記した被押下部材２０（の円盤部２１）は、円孔３０ｂに対してほぼ隙間なく配置されることで、円孔３０ｂ下部に位置する筒部３１の内周壁に沿って上下に摺動可能となっている。
【００２７】
図２は、上カバー部材１１を除く作動玩具１０の分解斜視図である。この図２に示すように、本実施形態に係る作動玩具１０は、被押下部材２０や連動部材３０の他にも、上カバー部材１１の下端面に固定される下カバー部材１２や、この下カバー部材１２に揺動可能に軸支される揺動部材４０を備えている。
【００２８】
以下、各部材について説明する。
【００２９】
連動部材３０は、図３に示すように、連動部材３０の上面３０ａを形成する上板部３５と、上板部３５の両側から垂下する側壁部３３と、側壁部３３の下端付近において水平方向内側に延出する支持板部３４と、上板部３５の下方に配置されて円孔３０ｂと連続する中空部を有する筒部３１と、を備えている。
【００３０】
このうち、筒部３１には、下端が開口したガイド溝３２が正面及び背面に垂直方向に切欠かれて形成されている。このガイド溝３２は、被押下部材２０の摺動をガイドするためのものである。
【００３１】
被押下部材２０は、図４に示すように、円形板状の円盤部２１と、円盤部２１の下部に配置された長尺板状のガイド部２２と、ガイド部２２の両端に設けられた支持部２３と、を備えている。
【００３２】
このうち、ガイド部２２は、円盤部２１の直径に沿って、円盤部２１の直径よりも長尺に設けられているため、図４（ｂ）及び（ｃ）に示すように、両端が円盤部２１よりも外側に突出するようになっている。そして、この突出したガイド部２２の両端に支持部２３が設けられている。
【００３３】
下カバー部材１２は、図５に示すように、平らな面に接地させられる底盤部１７を備えている。この底盤部１７の上面には、四隅にネジ挿入筒１３が立設し、このネジ挿入筒１３のやや内側に２対の揺動支持部１４が立設している。この２対の揺動支持部１４はそれぞれ揺動軸１５を軸支しており、これによって後述する揺動部材４０を揺動可能に支持できるように形成されている。また、この下カバー部材１２の略中央には２つのストッパ部１６が立設している。
【００３４】
揺動部材４０は、前記被押下部材２０が押し下げ操作されたときに前記連動部材３０を上方へと変位させるためのものであり、図５に示すように、上記した揺動軸１５を中心に揺動するものである。この揺動部材４０は、左右対称に２組設けられており、互いに平行な揺動軸１５を中心として揺動可能となっている。
【００３５】
この揺動部材４０は、揺動支持部１４によって支持される一対のアーム部４３と、このアーム部４３の揺動軸１５からみて一端側に設けられた第１載置部４１と、このアーム部４３の揺動軸１５からみて他端側に設けられた第２載置部４２と、を備えている。第１載置部４１は、アーム部４３の一端部において外側に突出する棒状の部材である。第２載置部４２は、アーム部４３の他端部において一対のアーム部４３を連結する棒状の部材である。
【００３６】
次に、各部材の組み付けについて説明する。
【００３７】
上記した各部材を組み付ける際には、まず、揺動部材４０の上に被押下部材２０を載置する。このとき、第１載置部４１の上に支持部２３が載置されるようにする。
【００３８】
そして、その更に上から連動部材３０を載置する。このとき、第２載置部４２の上に支持板部３４が載置されるようにする。なお、連動部材３０を載置するときには、連動部材３０の筒部３１の内側に被押下部材２０の円盤部２１を嵌め込むようにするとともに、被押下部材２０の円盤部２１から外側に突出したガイド部２２が筒部３１のガイド溝３２に挿入されるようにする。これにより、被押下部材２０は、筒部３１及びガイド溝３２に沿って上下に摺動案内される。
【００３９】
このように連動部材３０を載置すると、連動部材３０の自重により第２載置部４２が下方に押し下げられ、言い換えると、第１載置部４１が上方に持ち上げられる。よって、連動部材３０が下方に位置するとともに、被押下部材２０が上方に位置することとなる。このように連動部材３０と被押下部材２０とが位置している状態においては、図１に示すように、被押下部材２０の上面２０ａと連動部材３０の上面３０ａとが略面一となるように形成されている。
【００４０】
そして、上記の組み付けが完了したら、これらを覆うように上カバー部材１１を被せ、下カバー部材１２のネジ挿入筒１３の裏側からネジを挿入して上カバー部材１１のネジ孔（図示せず）と螺合させ、図１に示すような作動玩具１０が完成する。
【００４１】
このような作動玩具１０によれば、図６に示すように、円盤部２１を押し下げ操作することで被押下部材２０を下方に変位させると、被押下部材２０の支持部２３が揺動部材４０の第１載置部４１を下方に押圧する。第１載置部４１が下方に押圧された揺動部材４０は、揺動軸１５を中心に揺動し、第２載置部４２が設けられた側の端が上方に持ち上げられる。すると、第２載置部４２の上に載置された連動部材３０が持ち上げられて上方に変位する。すなわち、被押下部材２０の上面２０ａが下方に、連動部材３０の上面３０ａが上方にそれぞれ移動し、被押下部材２０の上面２０ａが連動部材３０の上面３０ａの中に埋没するかのように作動する。
【００４２】
なお、被押下部材２０を下方に変位させたときに、その下死点は下カバー部材１２に設けられたストッパ部１６によって規制される。すなわち、このストッパ部１６を設けることによって、被押下部材２０を下方に変位させたときに被押下部材２０のガイド部２２の下端面がストッパ部１６の上端面に当接し、それ以上被押下部材２０が下方に変位できないように設定されている。
【００４３】
この作動玩具１０は、図７及び図８に示すような人形玩具５１とセットにした玩具セット５０とすることもできる。すなわち、被押下部材２０の上に載置可能な人形玩具５１を設けるとともに、この人形玩具５１を被押下部材２０の上に載置したときに、人形玩具５１の重みによって被押下部材２０が下方に押し下げられるとともに連動部材３０が上方に持ち上げられ、人形玩具５１が取り外されるまではこの状態が維持されるように形成してもよい。
【００４４】
例えば、図７及び図８に示すように、作動玩具１０を浴槽に見立てるとともに、被押下部材２０の上面２０ａ及び連動部材３０の上面３０ａを水面に見立てており、この浴槽に人形玩具５１が入った（被押下部材２０が下方に押下された）ことに伴って、水面が上昇する（連動部材３０が上方に変位する）ようにすることで、お風呂の玩具を構成してもよい。
【００４５】
本実施形態に係る作動玩具１０は上記のとおりであり、被押下部材２０の上面２０ａと連動部材３０の上面３０ａとが平行な平面となるように配置されているため、被押下部材２０を押し下げ操作して連動部材３０が上方に変位すると、被押下部材２０と連動部材３０とが相対方向に移動する。すなわち、連動部材３０が移動することによって、操作対象である被押下部材２０の変位が強調されるように形成されており、今までにない面白みを持たせた玩具を提供することができる。
【００４６】
また、前記被押下部材２０が押し下げ操作されたときに前記連動部材３０を上方へと変位させるための揺動部材４０を備えているため、揺動部材４０によるシンプルな構造で連動部材３０を連動させることができる。
【００４７】
また、前記連動部材３０は自重により下方に位置しているため、特別な付勢部材などを使用しなくても作動前の位置を維持することができる。
【００４８】
また、前記連動部材３０の上面３０ａには円孔３０ｂが形成されており、前記被押下部材２０には前記円孔３０ｂの内側に配置される円盤部２１が形成され、前記円盤部２１を押し下げ操作することで前記被押下部材２０及び前記連動部材３０が変位するように形成している。すなわち、円孔３０ｂ内を円盤部２１が上下に移動することにより押し下げ動作が実現されているので、円盤部２１に偏荷重が加えられて多少傾いだとしても円孔３０ｂ内に円盤部２１が引っ掛かって摺動抵抗が増加するという問題が発生しにくくなっており、スムーズに押し下げ操作を行うことができる。
【符号の説明】
【００４９】
１０  作動玩具
１１  上カバー部材
１１ａ  開口
１２  下カバー部材
１３  ネジ挿入筒
１４  揺動支持部
１５  揺動軸
１６  ストッパ部
１７  底盤部
２０  被押下部材
２０ａ  上面
２１  円盤部
２２  ガイド部
２３  支持部
３０  連動部材
３０ａ  上面
３０ｂ  円孔
３１  筒部
３２  ガイド溝
３３  側壁部
３４  支持板部
３５  上板部
４０  揺動部材
４１  第１載置部
４２  第２載置部
４３  アーム部
５０  玩具セット
５１  人形玩具